(57)【要約】【課題】  地紋画像を印刷した出力物上では、隠し画像が一見しても見えない。そのため、例えば、ユーザが意図した隠し画像が意図した状態で確りと出力物に埋め込まれているか否かを確認するには、余計な手間が必要であった。【解決手段】  隠し画像が明瞭に現れた画像を生成する。【選択図】  図１８
2007166510.tif 000002
【特許請求の範囲】
【請求項１】
地紋画像を印刷出力する出力用紙のサイズとを入力する入力手段と、
前記地紋画像に埋め込む画像のサイズと、前記入力手段で入力された出力用紙のサイズとに基づいて、前記地紋画像を生成するか否かを判定する判定手段とを有し、
前記判定手段で地紋画像を生成すると判定された場合に、前記地紋画像を生成するように制御し、
前記判定手段で地紋画像を生成しないと判定された場合に、前記地紋画像を生成しないように制御する制御手段とを有することを特徴とする画像処理装置。
【請求項２】
前記判定手段は、
前記地紋画像に埋め込む画像のサイズが、前記入力手段で入力された出力用紙のサイズ以下である第１の場合に、前記地紋画像を生成すると判定し、
前記地紋画像に埋め込む画像のサイズが、前記入力手段で入力された出力用紙のサイズより大きい第２の場合に、前記地紋画像を生成しないと判定することを特徴とする請求項１に記載の画像処理装置。
【請求項３】
前記判定手段は、
前記第２の場合に、前記地紋画像を生成するか否かをユーザに問い合わせる問い合わせ手段と、
前記問い合わせ手段における問い合わせに対するユーザからの指示に基づいて、前記地紋画像を生成するか否かを判定する第２の判定手段とを有することを特徴とする請求項２に記載の画像処理装置。
【請求項４】
前記制御手段で地紋画像が生成するように制御された場合に、前記制御手段で制御されることで生成された地紋画像を出力し、
前記制御手段で地紋画像が生成されないように制御された場合に、前記地紋画像に埋め込む画像を出力する出力手段とを有することを特徴とする請求項１乃至３に記載の画像処理装置。
【請求項５】
さらに、前記地紋画像に埋め込むための情報と当該情報を画像化する際のサイズとをユーザの指示に基づいて入力する第２の入力手段を有し、
前記地紋画像に埋め込む画像は、前記第２の入力手段で入力された地紋画像に埋め込むための情報と当該情報を画像化する際のサイズとに基づいて生成されることを特徴とする請求項１に記載の画像処理装置。
【請求項６】
地紋画像を印刷出力する出力用紙のサイズとを入力する入力工程と、
前記地紋画像に埋め込む画像のサイズと、前記入力工程で入力された出力用紙のサイズとに基づいて、前記地紋画像を生成するか否かを判定する判定工程とを有し、
前記判定工程で地紋画像を生成すると判定された場合に、前記地紋画像を生成するように制御し、
前記判定工程で地紋画像を生成しないと判定された場合に、前記地紋画像を生成しないように制御する制御工程とを有することを特徴とする画像処理装置の制御方法。
【請求項７】
前記判定工程は、
前記地紋画像に埋め込む画像のサイズが、前記入力工程で入力された出力用紙のサイズ以下である第１の場合に、前記地紋画像を生成すると判定し、
前記地紋画像に埋め込む画像のサイズが、前記入力工程で入力された出力用紙のサイズより大きい第２の場合に、前記地紋画像を生成しないと判定することを特徴とする請求項６に記載の画像処理装置の制御方法。
【請求項８】
前記判定工程は、
前記第２の場合に、前記地紋画像を生成するか否かをユーザに問い合わせる問い合わせ工程と、
前記問い合わせ工程における問い合わせに対するユーザからの指示に基づいて、前記地紋画像を生成するか否かを判定する第２の判定工程とを有することを特徴とする請求項７に記載の画像処理装置の制御方法。
【請求項９】
前記制御工程で地紋画像が生成するように制御された場合に、前記制御工程で制御されることで生成された地紋画像を出力し、
前記制御工程で地紋画像が生成されないように制御された場合に、前記地紋画像に埋め込む画像を出力する出力工程とを有することを特徴とする請求項６乃至８に記載の画像処理装置の制御方法。
【請求項１０】
さらに、前記地紋画像に埋め込むための情報と当該情報を画像化する際のサイズとをユーザの指示に基づいて入力する第２の入力工程を有し、
前記地紋画像に埋め込む画像は、前記第２の入力工程で入力された地紋画像に埋め込むための情報と当該情報を画像化する際のサイズとに基づいて生成されることを特徴とする請求項６に記載の画像処理装置の制御方法。
【請求項１１】
請求項６乃至１０のいずれか１項に記載の方法の各工程をコンピュータに実行させるためのプログラム。
【請求項１２】
請求項１１に記載のプログラムを格納したコンピュータ読み取り可能な記憶媒体。
【発明の詳細な説明】
【技術分野】
【０００１】
本発明は、地紋画像を生成することが可能な画像処理装置及び画像処理装置の制御方法に関するものである。
【背景技術】
【０００２】
偽造防止用紙と呼ばれる特殊な用紙が存在する。この偽造防止用紙には、人間が一見しても見えないように「ＣＯＰＹ」などの文字列が埋め込まれている。なお、偽造防止用紙をコピーすることで得られる複写物上では、この埋め込まれた文字列は浮び上がる。そのため、こうした偽造防止用紙を用いて作成された文書は、その複写物とは容易に区別することができる。また、文書の複写物の使用を躊躇させることができる。
【０００３】
偽造防止用紙はこうした効果があるため、住民票や帳票などを作成する際に利用されてきた。しかし、偽造防止用紙は普通紙と比較して値段が高いという問題があった。また、用紙の製作時に埋め込まれた文字列しか複写物上で浮び上がらないという問題があった。
【０００４】
こうした状況の中、近年では、偽造防止用紙と同様の効果を得ることができる新しい技術が注目されている。これは、コンピュータを用いて作成した原稿データ及び地紋（コピー牽制地紋と呼ばれることもある）画像データをプリンタ内部で合成し、この合成により得られた地紋付き画像データを普通紙に出力するという技術である。なお、この地紋画像には文字列などが埋め込まれている。そのため、地紋付き画像をコピーすることで得られる複写物上では、偽造防止用紙を用いた場合と同様に埋め込まれていた文字列が浮び上がる。この技術は普通紙を利用するため、偽造防止用紙を利用する場合に比べて安価に原本を作成することが可能であるという利点がある。またこの技術では、原本を作成する度に新たな地紋画像データを生成することが可能である。そのため、この技術には、地紋画像の色や埋め込み文字列などを自由に設定することが可能であるという利点がある。
【０００５】
ところで、この地紋画像は複写物上で「残る」領域及び「消える」（あるいは「前記の残る領域に比べて薄くなる」）領域から構成される。これら２つの領域における反射濃度は原本上ではほぼ同じとなっている。そのため、人間の目には「ＣＯＰＹ」などの文字列が埋め込まれていることが分かりにくい。ここで「残る」とは、原本における画像が複写物上で正確に再現されることである。また「消える」とは、原本における画像が複写物上では再現されないことである。
【０００６】
以降、複写物上で「残る」領域を「潜像部」と称し、複写物上で「消える」（あるいは「前記の残る領域に比べて薄くなる」）領域を「背景部」と称する。
【０００７】
図１５は、地紋画像におけるドットの状態を示す図である。同図でドットが集中して配置されている領域が潜像部であり、ドットが分散して配置されている領域が背景部である。この２つの領域におけるドットは、それぞれ異なる網点処理や異なるディザ処理により生成されている。例えば、潜像部のドットは低い線数の網点処理により、また背景部のドットは高い線数の網点処理により生成されている。あるいは、潜像部のドットはドット集中型ディザマトリクスを用いて、また背景部のドットはドット分散型ディザマトリクスを用いて生成されている。
【０００８】
ところで、複写機の再現能力は、複写機が有する入力解像度や出力解像度に依存する。そのため、複写機の再現能力には限界が存在する。ここで、地紋画像の潜像部におけるドットが複写機で再現可能なドットより大きく形成され、かつ背景部におけるドットが再現可能なドットより小さく形成されている場合を考えてみる。このような場合、一般的に複写物上では潜像部におけるドットは再現されるが、背景部におけるドットは再現されにくい。結果として、複写物上では、潜像部が背景部に比べてより濃く再現される。以後、複写物上で潜像部が背景部より濃く再現されることで、埋め込まれていた隠し文字列などが浮び上がったように見えることを顕像化と称する。
【０００９】
図１６（ａ）および（ｂ）は、この顕像化を示す図である。図１６（ａ）は、顕像化する前の地紋画像である。図１６（ｂ）は、顕像化した後（複写物上で）の地紋画像集中したドット（大きなドット）は複写物上で再現され、分散したドット（小さなドット）は複写物上で正確に再現されないことを同図は概念的に示している。
【００１０】
なお、地紋画像は上記構成に限定されるものではなく、複写物上で人間が認識可能に「ＣＯＰＹ」などの文字列や記号あるいは模様などが現れる（顕像化する）ように構成されていればよい。また、複写物上で「ＣＯＰＹ」などの文字列が白抜き状態で示されても、その地紋画像は目的を達成しているといえる。この場合「ＣＯＰＹ」の領域を背景部と呼ぶことは言うまでもない。
【００１１】
このような地紋画像を生成する技術は、特開２００１−３４６０３２に開示されている。
【特許文献１】特開２００１−３４６０３２号公報
【特許文献２】特開２００３−２８３７９０号公報
【発明の開示】
【発明が解決しようとする課題】
【００１２】
しかしながら、地紋画像を印刷した出力物上では、隠し画像が一見しても見えない。そのため、例えば、ユーザが意図した状態で隠し画像を出力物に埋め込まれているか否かを確認するには、余計な手間が必要であった。
【００１３】
本発明は、上述した課題を解決するためになされたものである。その目的とするところは、地紋画像に埋め込むための情報が、ユーザの意図とおりに出力物に埋め込めるか否かをユーザが容易に確認することができる画像処理装置を提供することにある。また、その装置の制御方法を提供するところにある。
【課題を解決するための手段】
【００１４】
上述した課題を解決するために、本発明における画像処理装置は、以下の構成を有する。即ち、地紋画像を印刷出力する出力用紙のサイズとを入力する入力手段と、前記地紋画像に埋め込む画像のサイズと、前記入力手段で入力された出力用紙のサイズとに基づいて、前記地紋画像を生成するか否かを判定する判定手段とを有し、前記判定手段で地紋画像を生成すると判定された場合に、前記地紋画像を生成するように制御し、前記判定手段で地紋画像を生成しないと判定された場合に、前記地紋画像を生成しないように制御する制御手段とを有する。
【発明の効果】
【００１５】
本発明によって、ユーザが意図した状態で隠し画像を出力物に埋め込めるか否かを容易に確認することができる。
【発明を実施するための最良の形態】
【００１６】
（実施例１）
本実施例を適用するのに好適なシステム構成図を図１に示す。
【００１７】
図１において、００１および００２はデジタル複合機であり、原稿を光学的に読み取った後にデジタルデータ（以下では、このデジタルデータをコピー原稿画像やコピー原稿画像データとも称する。）に変換しプリントアウトするコピー機能を有する。また、上記コピー原稿画像データを外部に送信する機能を有する。
【００１８】
また、これのデジタル複合機は、後述するコンピュータ等の外部装置から受信したデジタルデータ（以下では、このデジタルデータをＰＤＬ原稿画像やＰＤＬ原稿画像データとも称する。）をプリントアウトする機能などを持つ。
【００１９】
００３〜００５はコンピュータであり、ＰＤＬ原稿画像データを作成、編集し、このＰＤＬ原稿画像データをＰＤＬデータ形式に変換した上でデジタル複合機００１または００２に送信する機能を持つ。なお、各装置は、デバイスがＬＡＮ５００上に接続されている。
【００２０】
以下では、ＰＤＬ原稿画像データとコピー原稿画像データを総称して原稿画像データと称することにする。
【００２１】
後述するように、デジタル複合機００１および００２は、その操作部から原稿画像データに地紋画像データを合成するための設定を行うことができる。さらに、合成するための地紋画像データのレイアウト等に関する詳細設定を行うことができる（図７、図８）。このようにデジタル複合機００１および００２の操作部上から設定された地紋画像データを、コピー地紋画像データと称することにする。
【００２２】
このデジタル複合機００１および００２の管理者は、リモートＵＩ（ユーザインターフェース）によってデジタル複合機００１及び００２を遠隔操作することが可能となっている。さらに、この管理者は地紋画像データの設定を行ったりすることも可能となっている。このように設定された地紋画像データも、コピー地紋画像データと称することにする。
【００２３】
００３〜００５のコンピュータは、その操作部からＰＤＬ原稿画像データに地紋画像データを合成するための設定を行うことができる。さらに、合成するための地紋画像データのレイアウト等に関する詳細設定を行うことができる（図１０）。このようにコンピュータ００３〜００５の操作部上から設定された地紋画像データを、ＰＤＬ地紋画像データと称することにする。
【００２４】
また、このデジタル複合機００１及び００２は、ＰＤＬ地紋画像データと、コピー地紋画像データとの両方を原稿画像データに合成して出力することができる。もちろん、片方の地紋画像データを原稿画像データに合成して出力することもできる。以下では、デジタル複合機００１及び００２のうちデジタル複合機００１に注目して、その構成を詳細に説明する。
【００２５】
＜＜デジタル複合機００１の詳細＞＞
デジタル複合機００１の外観を図２に示す。
【００２６】
図２において、画像入力デバイスであるスキャナ部２００は、原稿となる紙上の画像を照明し、図示しないＲ、Ｇ、Ｂそれぞれの色フィルタを設けた３ラインＣＣＤを走査することで得られる電荷量から、ＲＧＢカラー画像データを表す電気信号に変換する。原稿は原稿フィーダ２０１のトレイ２０２にセットし、ユーザが操作部４００から読み取り起動指示することにより、コントローラＣＰＵ１０３がスキャナ２００に指示を与え、フィーダ２０１は原稿用紙を一枚ずつフィードし原稿の読み取り動作を行う。
【００２７】
図２において、画像出力デバイスであるプリンタ部３００はラスター画像データを用紙上の画像に変換する部分である。印字方式は感光体ドラムや感光体ベルトを用いてトナーを紙に定着させる電子写真方式、微小ノズルアレイからインクを吐出して用紙上に直接画像を印字するインクジェット方式等があるが本実施例において印字方式は特に限定しない。プリント動作の起動はコントローラＣＰＵ１０３からの指示によって開始する。用紙カセット３０２は用紙をプリンタに給紙するためにセットしておく部分であり、異なる用紙サイズまたは異なる用紙向きを選択できるように複数の給紙段を持つ場合もある。また、排紙トレイ３０３は印字し終わった用紙を受けるものである。
【００２８】
図３は、デジタル複合機００１のコントローラ１００の構成をより詳細に説明するためのブロック図である。
【００２９】
コントローラ１００はスキャナ部２００やプリンタ部３００と電気的に接続されており、一方ではＬＡＮ５００、ＷＡＮ６００を介してコンピュータ００３〜００５、その他外部の装置と接続されている。これにより画像データやデバイス情報の入出力が可能となっている。
【００３０】
ＣＰＵ１０３は、ＲＯＭ１０８に記憶された制御プログラム等に基づいて接続中の各種デバイスとのアクセスを統括的に制御すると共に、コントローラ内部で行われる各種処理についても統括的に制御する。ＲＡＭ１０７は、ＣＰＵ１０３が動作するためのシステムワークメモリであり、かつ画像データを一時記憶するためのメモリでもある。このＲＡＭ１０７は、記憶した内容を電源ＯＦＦ後も保持しておくＳＲＡＭおよび電源ＯＦＦ後には記憶した内容が消去されてしまうＤＲＡＭにより構成されている。ＲＯＭ１０８には装置のブートプログラムなどが格納されている。ＨＤＤ１０９はハードディスクドライブであり、システムソフトウェアや画像データを格納することが可能である。
【００３１】
操作部インターフェース１０４は、システムバス１０１と操作部４００とを接続するためのインターフェース部である。この操作部インターフェース１０４は、操作部４００に表示するための画像データをシステムバス１０１から受け取り操作部４００に出力すると共に、操作部４００から入力された情報をシステムバス１０１へと出力する。
【００３２】
ネットワークインターフェース１０５はＬＡＮ５００及びシステムバス１０１に接続し、情報の入出力を行う。モデム１０６はＷＡＮ６００およびシステムバス１０１に接続しており、情報の入出力を行う。２値画像回転部１１６は送信前の２値画像データの方向を変換する。２値画像圧縮・伸張部１１７は、送信前の２値画像データの解像度を所定の解像度や相手能力に合わせた解像度に変換する。なお圧縮及び伸張にあたってはＪＢＩＧ、ＭＭＲ、ＭＲ、ＭＨなどの方式が用いられる。画像バス１０２は画像データをやり取りするための伝送路であり、ＰＣＩバスまたはＩＥＥＥ１３９４で構成されている。
【００３３】
スキャナ画像処理部１５０は、スキャナ部２００からスキャナインターフェース１１３を介して受け取った画像データに対して、補正、加工、及び編集を行う。なお、スキャナ画像処理部１５０は、受け取った画像データがカラー原稿か白黒原稿か、文字原稿か写真原稿かなどを判定する。そして、その判定結果を画像データに付随させる。こうした付随情報を属性フラグデータと称する。このスキャナ画像処理部１５０で行われる処理の詳細については後述する。
【００３４】
圧縮部１１２は画像データを受け取り、この画像データを３２画素×３２画素のブロック単位に分割する。なお、この３２×３２画素の画像データをタイルデータと称する。図４は、このタイルデータを概念的に表している。原稿（読み取り前の紙媒体）において、このタイルデータに対応する領域をタイル画像と称する。なおタイルデータには、その３２×３２画素のブロックにおける平均輝度情報やタイル画像の原稿上の座標位置がヘッダ情報として付加されている。さらに圧縮部１１２は、複数のタイルデータからなる画像データを圧縮する。伸張部１１４は、複数のタイルデータからなる画像データを伸張した後にラスター展開してプリンタ画像処理部１６０に送る。
【００３５】
プリンタ画像処理部１６０は、伸張部１１４から送られた画像データを受け取り、この画像データに付随されている属性フラグデータを参照しながら画像データに画像処理を施す。画像処理後の画像データは、プリンタインターフェース１１５を介してプリンタ部３００に出力される。このプリンタ画像処理部１６０で行われる処理の詳細については後述する。
【００３６】
画像変換部１２０は、画像データに対して所定の変換処理を施すものであり、以下に示すような処理部により構成される。
【００３７】
伸張部１２１は受け取った画像データを伸張する。圧縮部１２２は受け取った画像データを圧縮する。回転部１２３は受け取った画像データを回転する。変倍部１２４は受け取った画像データに対し解像度変換処理（例えば６００ｄｐｉから２００ｄｐｉ）を行う。色空間変換部１２５は受け取った画像データの色空間を変換する。この色空間変換部１２５ではさらに、公知の地肌除去処理、公知のＬＯＧ変換処理（ＲＧＢ→ＣＭＹ）、公知の出力色補正処理（ＣＭＹ→ＣＭＹＫ）を実施する。２値多値変換部１２６は受け取った２階調の画像データを２５６階調の画像データに変換する。逆に多値２値変換部１２７は受け取った２５６階調の画像データを誤差拡散処理などの手法により２階調の画像データに変換する。
【００３８】
合成部１３０は受け取った２つの画像データを合成し１枚の画像データを生成する。なお、２つの画像データを合成する際には、合成対象の画素同士が持つ輝度値の平均値を合成輝度値とする方法や、輝度レベルで明るい方の画素の輝度値を合成後の画素の輝度値とする方法が適用される。また、暗い方を合成後の画素とする方法の利用も可能である。さらに合成対象の画素同士の論理和演算、論理積演算、排他的論理和演算などで合成後の輝度値を決定する方法なども適用可能である。これらの合成方法はいずれも周知の手法である。間引き部１２９は受け取った画像データの画素を間引くことで解像度変換を行う。移動部１２８は受け取った画像データに余白部分をつけたり余白部分を削除したりする。
【００３９】
ＲＩＰ１１０は、コンピュータ００３〜００５などから送信されたＰＤＬコードデータを元に生成された中間データを受け取り、多値のビットマップデータを生成する。
【００４０】
図５はスキャナ画像処理部１５０の細部構成を示すブロック図である。
【００４１】
１５１は、原稿画像データの副走査方向の色ずれを補正する副走査色ずれ補正部であり、例えば、画像データの色ごとに１×５サイズのマトリクス演算を行う処理が行われる。
【００４２】
１５２は、原稿画像データの主走査方向の色ずれを補正する主走査色ずれ補正部であり、例えば、画像データの色ごとに５×１サイズのマトリクス演算を行う処理が行われる。
【００４３】
１５３は、原稿画像データ中の画像種類を識別する像域判定部であり、例えば、原稿画像データ中の、写真部分／文字部分、有彩色部分／無彩色部分等、それぞれの画像種類を構成する画素を識別し、その種別を示す属性フラグデータを画素単位で生成する。
【００４４】
１５４は、原稿画像データの空間周波数を任意に補正するフィルタ処理部であり、例えば、９×９サイズのマトリクス演算を行う処理が行われる。
【００４５】
１５５は、原稿画像データ中の画像信号データをサンプリングおよびカウントするヒストグラム処理部であり、例えば、原稿画像データがカラーであるのかモノクロ画像であるのかの判別、原稿画像データの下地レベルの判定が行われる。
【００４６】
１５６は、原稿画像データの色味の補正を行う入力色補正部であり、例えば、原稿画像データの色空間を任意の色空間に変換するなどの処理を行う。
【００４７】
なお、本実施形態におけるスキャナ画像処理部１５０は、上述した副走査色ずれ補正部１５１〜入力色補正部１５６の一部を有さなくてもよい。その一方で、他の画像処理を行う処理部を有していても良い。さらに、副走査色ずれ補正部１５１〜入力色補正部１５６の処理順に関しても、これだけに限られるものではない。
【００４８】
図６は、プリンタ画像処理部１６０の細部構成を示すブロック図である。
【００４９】
１６１は地肌除去部であり、画像データの地肌色すなわち不要な下地のかぶり除去を行う。例えば、３×８サイズのマトリクス演算や、１次元ルックアップテーブル（ＬＵＴ）により地肌除去処理を行う。
【００５０】
１６２はモノクロ生成部であり、カラーの原稿画像データをモノクロデータに変換し、単色としてプリントする際に、カラーの原稿画像データ、例えばＲＧＢデータを、グレイ（Ｇｒａｙ）単色に変換する。例えば、ＲＧＢに任意の定数を掛け合わせ、グレイ信号とする１×３サイズのマトリクス演算が行われる。
【００５１】
１６３は原稿画像データを出力するプリンタ部３００の特性に合わせて色補正を行う出力色補正部である。例えば、４×８サイズのマトリクス演算や、ダイレクトマッピングによる処理が行われる。
【００５２】
１６４は原稿画像データの空間周波数を任意に補正するフィルタ処理部であり、例えば９×９サイズのマトリクス演算処理が行われる。
【００５３】
１６５は出力するプリンタ部３００の特性に合わせて、ガンマ補正を行うガンマ補正部であり、通常１次元のルックアップテーブル（ＬＵＴ）が用いられる。
【００５４】
１６６は出力するプリンタ部３００の階調数に合わせて任意の擬似中間調処理を行う擬似中間調処理部であり、２値化や３２値化等の任意のスクリーン処理や誤差拡散処理が行われる。
【００５５】
尚、プリンタ画像処理部１６０内の処理は、上述した地肌除去部１６１〜擬似中間調処理部１６６の全てを用いる処理だけに限られるものではなく、他の画像処理モジュールが追加されても良いし、削除されても良い。さらに、地肌除去部１６１〜擬似中間調処理部１６６の処理順に関しても、この順序だけに限られるものではない。
【００５６】
＜＜コピー原稿画像データに地紋画像データを合成する処理＞＞
ここでは、デジタル複合機００１においてコピー原稿の読み取りにより得られたコピー原稿画像データを、後述する処理により生成された地紋画像データと合成した上で、出力用紙上に画像形成するまでの処理について説明する。なお、各処理の実行にあたっては、ＣＰＵ１０３が統括的に制御を行う。また、ＲＡＭ１０７は、ＣＰＵ１０３の主メモリやワークエリア等として機能する。
【００５７】
操作画面を通して、コピー原稿に地紋を合成する指示が行われると、スキャナ部２００はコピー原稿の読み取り処理を開始する。この読み取り処理により生成されたコピー原稿画像データは、スキャナ画像処理部１５０に送られ所定の画像処理が施される。所定の画像処理が施されたコピー原稿画像データは圧縮部１１２に送られ圧縮される。圧縮されたコピー原稿画像データは、そのコピー原稿画像データに付随された属性フラグデータと共にＲＡＭ１０７に送られ格納される。なお、ＲＡＭ１０７に格納されたコピー原稿画像データは複数のタイルデータから構成されている。
【００５８】
その後、ＲＡＭ１０７に格納されているコピー原稿画像データは、伸張部１２１に送られる。伸張部１２１は、このコピー原稿画像データを伸張する。伸張されたコピー原稿画像データは色空間変換部１２５に送られる。色空間変換部１２５は、このコピー原稿画像データに地肌除去処理、モノクロ生成処理、出力色補正処理を施す。なお、これらの処理は、図６における地肌除去部１６１、モノクロ生成部１６２、出力色補正部１６３で行われる処理に相当する。以上の処理が施されたコピー原稿画像データは圧縮部１２２に送られる。圧縮部１２２は、色空間変換部１２５で画像処理が施されたコピー原稿画像データを圧縮する。圧縮されたコピー原稿画像データはＲＡＭ１０７に送られ格納される。一方、図１０を用いて後述する処理で生成される地紋画像データは、圧縮されていない画像データとしてＲＡＭ１０７に格納される。なお、ＲＡＭ１０７に格納された地紋画像データは、コピー原稿画像データ同様に複数のタイルデータから構成されている。
【００５９】
続いてＲＡＭ１０７に格納されているコピー原稿画像データは、伸張部１２１に送られる。伸張部１２１は、このコピー原稿画像データを伸張する。伸張されたコピー原稿画像データは合成部１３０に送られる。同様にして地紋画像データは、伸張部１２１を経由して合成部１３０に送られる。なお伸張部１２１は、地紋画像データを伸張しない。これは、地紋画像データがもともと圧縮されていないためである。合成部１３０は、これら二つの画像データを合成する。なお、二つの画像データは共に複数のタイルデータから構成されているため、合成後の画像データも複数のタイルデータから構成される。合成画像データは圧縮部１２２に送られる。圧縮部１２２は合成画像データを圧縮する。圧縮された合成画像データはＲＡＭ１０７に送られ格納される。さらにＲＡＭ１０７に格納されている合成画像データは伸張部１１４に送られる。伸張部１１４は、この合成画像データを伸張する。さらに、伸張後の合成画像データをラスター展開する。ラスター展開された合成画像データは、プリンタ画像処理部１６０に送られる。
【００６０】
続いて、プリンタ画像処理部１６０は、この合成画像データに対して出力側ガンマ補正処理、中間調補正処理を施す。なお、これらの処理は図６におけるガンマ補正部１６５、中間調補正部１６６で行われる処理に相当する。一方、地肌除去処理、モノクロ生成処理、出力色補正処理は施さない。なお、これらの処理は図６における地肌除去部１６１、モノクロ生成部１６２、出力色補正部１６３で行われる処理に相当する。地肌除去処理、出力色補正処理を合成画像データに対して施さない理由は、これらの処理を施すことで地紋画像が変形するのを避けるためである。なお、上述したようにコピー原稿画像データに対しては、これらの処理が事前に色空間変換部１２５で施されている。
【００６１】
プリンタ画像処理部１６０で以上の処理が施された合成画像データは、プリンタインターフェース１１５を介してプリンタ部３００に送られる。プリンタ部３００は、この合成画像データを出力用紙上に画像形成する。以上が、地紋付き画像（合成画像）の画像形成処理の手順である。
【００６２】
また、上述の説明では省略したが、必要に応じて、ＲＯＭ１０８やＨＤＤ１０９に格納される処理やＲＯＭ１０８やＨＤＤ１０９に格納されている画像データの取出しが行われてもよいことは言うまでもない。
【００６３】
＜地紋画像データの詳細設定＞
図７、図８は、デジタル複合機００１の操作部４００に表示される画面の一例である。この画面は、地紋印刷設定を行うために用いられる。
【００６４】
図７は、デジタル複合機００１の操作部４００に表示された隠し文字列（地紋画像を生成する際に埋め込む情報）を指定するための指定画面である。ユーザは、この画面上で文字列指定ボタン７１〜７６から１つを選択することにより、「極秘」、「ＶＯＩＤ」、「社外秘」、「コピー禁止」、「ＣＯＮＦＩＤＥＮＴＩＡＬ」、「ＣＯＰＹ」のうち１つを指定することができる。また、既定文字列ではなく、任意文字列を指定する場合は、任意入力ボタン７７を押下し任意入力画面に遷移した後、任意の文字列を入力、指定することができる。なお、ここでは文字列を例にあげているが、複数の記号を予め用意しておき、そこから選択することも可能である。文字列または記号を指定した後、次へボタン７８を押下すると、次の地紋詳細設定画面８０へ遷移する。
【００６５】
図８は次の地紋詳細設定画面８０である。ユーザはこの画面上で隠し文字列のフォントサイズ及び地紋画像色を設定する。フォントサイズ指定ボタン８１〜８３の１つを選択することにより大、中、小の３種類から１つを隠し文字列（地紋画像を生成する際に埋め込む情報）の大きさとして指定する。なお、大は７２ポイント、中は５０ポイント、小は３５ポイントというような設定が予めなされている。色指定ボタン８４〜８６の１つを選択すると、地紋画像データの色がブラック、マゼンタ、シアンから１つが指定される。背景模様ＯＮボタン８８とＯＦＦボタン８７は必ずどちらか１つが選ばれる。ＯＮボタン８８が選択されると、隠し文字列（地紋画像を生成する際に埋め込む情報）を人間の目に対して認識させづらくさせるためのカモフラージュパターンを適用することになる。全ての設定を終了後、ＯＫボタン８９を押下し、地紋設定が完了する。
【００６６】
以上の地紋設定が完了すると、図１７の画面に遷移する。この画面上で、ユーザがスタートキーを押下すると通常の地紋印刷が行われる。また、この画面上で、地紋お試しボタン４１５５を押下したのちにスタートキーを押下すると地紋お試し印刷が行われる。
【００６７】
＜地紋画像データの生成処理＞
続いて、図１０を用いて、地紋画像データが生成される際の処理（通常の地紋印刷の場合の処理）の詳細を説明する。なお、各処理の実行にあたっては、ＣＰＵ１０３が統括的に制御を行う。また、ＲＡＭ１０７は、ＣＰＵ１０３の主メモリやワークエリア等として機能する。
【００６８】
まずユーザにより指定された地紋画像に埋め込むための情報（極秘、コピー禁止、記号情報など）を元にビットマップデータを生成する。なお、この記号パターン７０１は、黒色部分を指すものであり、その周りの白い部分は記号パターン７０１には含まれない。また、この記号パターン７０１は、地紋画像に埋め込むための埋め込み画像である。このように生成されたビットマップデータを、地紋画像に埋め込むための画像と称する。なお、このビットマップデータを繰り返しタイリングした画像のことは、繰り返し埋め込み画像と称することにする。図２２は、この繰り返し埋め込み画像と原稿画像とが合成された状態の画像を示している。
【００６９】
続いて、潜像パターン７０２及び背景パターン７０３（共にビットマップデータ）をディザ処理により生成する。
【００７０】
ディザ処理は公知の技術であるが、ドット集中型ディザマトリクス及びドット分散型マトリクスが共に４×４である場合（図１１及び図１２）を例に、図１３、図１４を用いて簡単な説明を行う。図１３は、図１１に示したドット集中型ディザマトリクスに濃度信号値３、６、９を適用することで生成したドットパターンである。ここで図１１と図１３とを比較すると、ドット集中型ディザマトリクス（図１１）内の数値が濃度信号値以下となっている画素位置には、ドットが打たれる（ＯＮの）状態になっていることがわかる。同様に図１４は、図１２に示したドット分散型ディザマトリクスに濃度信号値２、４、５を適用することで生成したドットパターンである。ここで図１３と図１４とを比較すると、図１３におけるドットパターンは集中型のドットパターンとなっているのに対し、図１４におけるドットパターンは分散型のドットパターンとなっていることがわかる。
【００７１】
以上でディザ処理の説明を終了し、潜像パターン７０２及び背景パターン７０３の生成処理の説明に戻る。
【００７２】
ＨＤＤ１０９には、予め潜像部生成用ディザマトリクス（以下、潜像マトリクスと称する）及び、そのディザマトリクスに適用するための潜像部生成用濃度信号値が格納されている。また、背景部生成用ディザマトリクス（以下、背景マトリクスと称する）及び、そのディザマトリクスに適用するための背景部生成用濃度信号値が格納されている。
【００７３】
潜像パターン７０２を生成するにあたっては、この潜像マトリクス及び潜像部生成用濃度信号値をＨＤＤ１０９から読み出す。そして、読み出した潜像部生成用濃度信号値を潜像マトリクスに適用する。そして潜像パターン７０２を生成する。また同様にして、背景パターン７０３を生成する。
【００７４】
続いて、潜像パターン７０２及び背景パターン７０３を所定の回数だけ繰り返したパターン（潜像繰り返しパターン７０４及び背景繰り返しパターン７０５と称する）を生成する。その後、この潜像繰り返しパターン７０４と記号パターン７０１から潜像画像データ７０６を生成する。具体的には、埋め込み画像の周囲に白色の画像を付加し（又は、埋め込み画像を用紙サイズに相当する画像に上書き合成し）、用紙サイズになるように引き伸ばす（図１０参照）。そして、引き伸ばされた用紙サイズの画像のうちの埋め込み画像部分に、潜像繰り返しパターンを配置する。なお、本発明における引き伸ばし方として、埋め込み画像の周囲に白色の画像を付加するものとして説明を行ったが、これに限られるものではない。例えば、埋め込み画像をタイル状に並べて、用紙サイズになるように引き伸ばしても良い。図２２は、１画像をタイル状に並べて引き伸ばした画像と原稿画像とを合成して得られた画像を示している。
【００７５】
同様にして背景画像データ７０７を生成する。そして、生成された潜像画像データ７０６と背景画像データ７０７を合成し地紋画像データ７０８を生成する。以上により生成された地紋画像データ７０８は２値のビットマップデータである。なお、このビットマップデータにはＣＭＫいずれかの色情報が付随されている。この色情報はユーザ設定により決定されるものであっても、原稿画像データの色情報を元に決定されるものであってもよい。
【００７６】
以上のように、本実施例ではディザ処理を利用して地紋画像データの生成を行うが、本発明はこれに限られることはない。例えば、背景パターンを作るために誤差拡散法や平均濃度法を利用してもよい。
【００７７】
なお、上述したように以上の地紋画像の生成処理は、ＣＰＵ１０３により統括的に制御される。
【００７８】
＜お試し地紋画像データの生成処理＞
同じく、図１０を用いて、お試し地紋画像データが生成される際の処理（お試し地紋印刷の場合の処理）の詳細を説明する。なお、各処理の実行にあたっては、ＣＰＵ１０３が統括的に制御を行う。また、ＲＡＭ１０７は、ＣＰＵ１０３の主メモリやワークエリア等として機能する。
【００７９】
まずユーザにより指定された地紋画像に埋め込むための情報（極秘、コピー禁止、記号情報など）を元に記号パターン７０１を生成する。この記号パターン７０１から７０９のような、出力用紙サイズと略同一のサイズに引き伸ばしたビットマップデータを生成する。なお、この記号パターン７０１は、★マークの部分を指すものであり、その周りの白い部分は記号パターン７０１には含まれない。また、この記号パターン７０１は、地紋画像に埋め込むための画像である。
【００８０】
このビットマップデータ７０９を、お試し地紋画像データと称する。お試し地紋画像データが生成された後に原稿画像データと合成されて出力（画像形成）されるまでの処理は、地紋画像データが生成された後に原稿画像データと出力（画像形成）されるまでの処理と同一である。
【００８１】
なお、本実施例では、ビットマップデータ７０９（埋め込み画像を引き伸ばした画像）をもってお試し地紋画像データとしたが、本発明におけるお試し地紋画像データはビットマップデータ７０９に限られることはなく、埋め込み画像が明瞭に現れた画像データであればよい。
【００８２】
例えば、潜像画像データ７０６（埋め込み画像の部分に潜像パターンを配置した画像）をもって、お試し地紋画像データとしてもよい。もし、お試し地紋画像データがこのような画像データであれば、複写された際に浮き上がる画像の状態をより良く知ることができるという効果がある。
【００８３】
また、ビットマップデータ７０９（埋め込み画像）の輪郭だけをかたどった画像データをもって、お試し地紋画像データとしてもよい。もし、お試し地紋画像データがこのような画像データであれば、トナー量が少なくてすむという効果がある。
【００８４】
また、本実施例におけるお試し地紋印刷は、お試し地紋画像データと原稿画像データとを合成した後に出力するものとして説明を行った。しかしながら、本発明はこれに限られることはない。例えば、原稿画像データと合成せずにお試し地紋画像データのみを画像形成する構成をもって、お試し地紋印刷としてもよい。あるいは、お試し地紋画像データに注意書き等を付加した状態で画像形成する構成をもって、お試し地紋印刷としてもよい。なお、注意書きには、例えば、「これは、お試し地紋印刷です」というような文章が含まれるのは言うまでもない。
【００８５】
また、本実施例におけるお試し地紋印刷は、お試し地紋画像データを画像形成するものとして説明を行った。しかしながら、本発明におけるお試し地紋印刷はこれに限られることはない。例えば、作成したお試し地紋画像データを操作部上に表示することで出力したり、お試し地紋画像データと原稿画像データとを合成した上で操作部上に表示することで出力したりするような構成であってもよい。
【００８６】
以上説明した実施例１開示の技術により、地紋画像に埋め込むための情報が意図した通りに含められるか否かを容易に確認できる。
【００８７】
（実施例２）
実施例１では、お試し地紋印刷を行うための処理について詳細に説明した。本実施例では、特殊地紋印刷を行うための処理について詳細に説明する。
【００８８】
図８におけるＯＫボタン８９を押下され、地紋設定が完了すると、図１８の画面に遷移する。この画面上で、ユーザがスタートキーを押下すると通常の地紋印刷が行われる。（各設定情報がＲＡＭに入力され、入力された情報に基づいて地紋画像が生成され、生成された地紋画像が出力される）。また、この画面上で、地紋お試しボタン４１６５を押下したのちにスタートキーを押下すると地紋お試し印刷が行われる。（各設定情報がＲＡＭに入力され、入力された情報に基づいて地紋画像が生成され、生成された地紋画像が出力される）。さらに、本実施例では、この画面上で、地紋警告ボタン４１６０を押下したのちにスタートキーを押下すると地紋特殊印刷が行われる。
【００８９】
通常の地紋印刷、地紋お試し印刷については上述した通りである。以下では、地紋特殊印刷について説明を行う。
【００９０】
地紋警告ボタン４１６０を押下したのちにスタートキーを押下すると、各設定情報をＣＰＵがＲＡＭに入力する。その後、スキャナ部２００によりコピー原稿の読み取り処理が行われ、圧縮されＲＡＭ１０７に格納された直後に）以下の判断を行う。
【００９１】
まず、埋め込み画像のサイズと用紙サイズとを比較して、どちらが大きいか判断する。
【００９２】
比較の結果、埋め込み画像（例えば、記号パターン７０９の黒色部分の画像）のサイズが出力用紙サイズより小さい（又は、等しい）場合には、通常の地紋印刷が行うと判定する。このように通常の地紋印刷を行うという判定が行われると、地紋画像に埋め込むためにユーザにより設定された各情報に基づいて地紋画像データが生成され、原稿画像データと合成された上で出力されることになる。
【００９３】
比較の結果、埋め込み画像のサイズが用紙サイズより大きい場合（即ち、埋め込み画像が出力用紙に収まりきらない場合）には、図１９に示す警告画面を操作部上に表示するように制御する。
【００９４】
この図１９に示す警告画面上で、ユーザにより印字しないボタン３６０３が押下された場合には、通常の地紋印刷が行われる。即ち、地紋画像データと原稿画像データとが合成された上で画像形成が行われる。ここで、地紋画像データは、埋め込み画像の一部が埋め込まれないまま生成された画像データとなっている。
【００９５】
また図１９に示す警告画面上で、印字するボタン３６０２がユーザにより押下された場合には、お試し地紋印刷が行われる。即ち、お試し地紋画像データの画像形成が行われる（又は、お試し地紋画像データと原稿画像データとが合成された上で画像形成が行われる）。そして、この画像形成が終了すると、図２０に示す画面を操作部上に表示するように制御する。この図２０に示す画面は、地紋画像を生成するか否か、や、合成画像を出力するか否かをユーザに問い合わせるための画面である。
【００９６】
この図２０に示す画面上で、続けるボタン３６１２が押下（指示）されると、今度は通常の地紋印刷処理が行われる（もちろん、埋め込み画像の一部が書けた地紋画像が出力されることになる）。また、キャンセルボタン３６１１が押下（指示）されると、処理を終了する。即ち、各ボタンの押下は、図２０による問い合わせに対するユーザからの応答であると捉えることができる。
【００９７】
以上説明した実施例２開示の技術により、ユーザにより地紋画像に埋め込むように設定された情報が、ユーザの意図した通りに埋め込まれない可能性がある場合に、ユーザにその旨を知らせることができる。
【００９８】
（実施例３）
次に強制地紋モード設定時における潜像画像の確認を行うための実施例について図２１を用いて説明する。強制地紋モードとはジョブごとに、地紋の設定を行わなくても自動的に地紋画像を付加して印刷するモードのことである。
【００９９】
そのためこのモードが設定されているときは、応用モードから地紋の設定をおこなうことはできない。本モードは機器の各設定を行うユーザモード設定画面から行う。操作部４００のユーザモードボタンをユーザが押下すると３７０２のように設定画面を操作部４００上に表示するように制御する。この画面から管理者設定ボタンを押下すると３７０３に示す画面を操作部４００上に表示するように制御する。この画面から強制地紋ボタンをユーザが押下すると３７１０に示す強制地紋設定画面を操作部４００上に表示するように制御する。この画面３７１０から強制地紋の設定が可能になる。３７１２は強制的に付加する地紋の情報を設定するボタン群である。トグルボタンになっており、一度押すと有効になりもう一度押すと無効になる。このボタンには「スタンプ」「日付」「機体番号」とがあり、いずれかのボタンが有効になっていれば強制地紋モードになる。３７１１は強制地紋モードであっても地紋をつけないカセットを設定するボタンである。このボタンもトグルボタンになっており、地紋印刷に適さないサイズの用紙や適さない色付きの用紙が入っているなどの場合にこのボタンを押下して有効にすることにより強制地紋モードの対象外にできる。３７１３はテスト印字のボタン群であり、「今すぐ印刷」「カセット更新毎」のボタンがある。「今すぐ印刷」ボタンを押下すると、カセットの格段に存在する用紙に夫々お試し地紋画像データを画像形成する。この画像形成後に、隠し画像がかけている場合は、モードの設定のやり直しを行う。または、潜像文字列が欠けることが確認された用紙が格納されているカセット段から印刷を行わないように強制地紋対象カセットの設定をユーザは行うことができる。
【０１００】
以上のように、通常は見えにくい地紋の潜像画像部分を浮き上がらせた状態で出力することを可能とし、ジョブ実行時や強制地紋モードの設定時に潜像画像の状態を確認できるようにして、地紋印刷のミスを抑制することが可能となる。
【０１０１】
（その他の実施例）
以上説明した各実施例では、コピー原稿画像データを対象に説明を行った。しかしながら、本発明の対象はコピー原稿画像データに限らずＰＤＬ原稿画像データや、画像形成装置のＨＤＤやＲＯＭ等に予め格納されている画像データに対しても適用可能である。
【０１０２】
以上説明した各実施例では、地紋画像データの設定は画像形成装置の操作部上で行われるものとして説明を行った。しかしながら、地紋画像データの設定がホストコンピュータの操作画面を通して行われても良いのは言うまでもない。
【０１０３】
このように設定が行われる場合には、ホストコンピュータ上でユーザにより、地紋画像を生成する際に埋め込む情報と、地紋画像が生成された際に印刷出力するための出力用紙サイズとが設定されることになる。設定された各情報は、当然、ホストコンピュータ内のＣＰＵによりＲＡＭに入力することになる。入力された各情報は、ホストコンピュータから画像処理装置に送信されることになる。各情報が送信されてきた（入力された）画像処理装置は、この各情報に基づいて地紋画像を生成するか否かを判定することになる。
【０１０４】
以上説明した各実施例では、地紋画像データやお試し地紋画像データの生成が画像形成装置の内部で行われるものとして説明を行った。しかしながら、地紋画像データやお試し地紋画像データの生成がホストコンピュータの内部で行われても良いのは言うまでもない。
【０１０５】
このように地紋画像データの生成がホストコンピュータ上で行われる場合には、ホストコンピュータ上でユーザにより、地紋画像を生成する際に埋め込む情報と、地紋画像が生成された際に印刷出力するための出力用紙サイズとが設定されることになる。設定された各情報は、当然、ホストコンピュータ内のＣＰＵによりＲＡＭに入力することになる。入力された各情報を基に、ホストコンピュータ内のＣＰＵは地紋画像を生成するか否かを判定することになる。判定の結果、地紋画像を生成するとなった場合にはホストコンピュータ内のＣＰＵが地紋画像を生成し、地紋画像を生成しないとなった場合には干すとコンピュータ内のＣＰＵは地紋画像を生成しないことになる。
【０１０６】
本発明は、複数の機器（例えばコンピュータ、インターフェース機器、リーダ、プリンタなど）から構成されるシステムに適用することも、一つの機器からなる装置（複合機、プリンタ、ファクシミリ装置など）に適用することも可能である。
【０１０７】
また本発明の目的は、各フローチャートの手順を実現するプログラムコードを記憶した記憶媒体から、システムあるいは装置のコンピュータ（またはＣＰＵやＭＰＵ）が、そのプログラムコードを読出し実行することによっても達成される。この場合、記憶媒体から読み出されたプログラムコード自体が上述した実施形態の機能を実現することになる。そのため、このプログラムコード及びプログラムコードを記憶した記憶媒体も本発明の一つであることになる。
【０１０８】
なお、プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。これら、プログラムコードを格納したコンピュータ読み取り可能な記憶媒体も本発明の一つであることになる。
【０１０９】
また、プログラムコードの指示に基づきコンピュータ上で稼動しているＯＳ（オペレーティングシステム）などが実際の処理の一部または全部を行い、その処理によって上述した実施形態の機能が実現される場合も本発明に含まれる。
【０１１０】
更に、記憶媒体から読出されたプログラムコードが、コンピュータに挿入された機能拡張ボードやコンピュータに接続された機能拡張ユニットに備わるメモリに書き込まれることも想定される。そして、そのプログラムコードの指示に基づき、その機能拡張ボードや機能拡張ユニットに備わるＣＰＵなどが実際の処理の一部または全部を行い、その処理によって上述した実施形態の機能が実現される。
【０１１１】
なお、図３の１００（コントローラ）部分を画像処理部と呼ぶことができる。したがって、図３の１００部分を有する装置を画像処理装置と呼ぶことができる。なお、ホストコンピュータ自体も、画像処理を行うことができるため画像処理装置と呼ぶことができる。
【図面の簡単な説明】
【０１１２】
【図１】本実施例を適用するのに好適なネットワークシステム構成図
【図２】本実施例を適用するのに好適なデジタル複合機
【図３】本実施例を適用するのに好適なデジタル複合機の制御システム構成
【図４】タイルデータを概念的に示す図
【図５】スキャナ画像処理部の構成図
【図６】プリンタ画像処理部の構成図
【図７】デジタル複合機の操作部における地紋文字列指定画面
【図８】デジタル複合機の操作部における地紋詳細設定画面
【図９】プリンタドライバにおいて地紋詳細設定を行う画面
【図１０】地紋画像データの生成方法を示す図
【図１１】ドット集中型ディザマトリクスの例
【図１２】ドット分散型ディザマトリクスの例
【図１３】集中型ディザパターンの例
【図１４】分散型ディザパターンの例
【図１５】地紋画像におけるドットの状態を示す図
【図１６】（ａ）は顕像化前の地紋画像を示す図、（ｂ）は顕像化後の地紋画像を示す図
【図１７】デジタル複合機の操作部における地紋設定完了後の画面１
【図１８】デジタル複合機の操作部における地紋設定完了後の画面２
【図１９】警告画面１
【図２０】警告画面２
【図２１】（ａ）は強制地紋設定画面１、（ｂ）は強制地紋設定画面２、（ｃ）は強制地紋設定画面３、（ｄ）は強制地紋設定画面４
【図２２】タイリングされた埋め込み画像と原稿画像とが合成された画像
【図１】
2007166510.tif 000003
【図２】
2007166510.tif 000004
【図３】
2007166510.tif 000005
【図４】
2007166510.tif 000006
【図５】
2007166510.tif 000007
【図６】
2007166510.tif 000008
【図７】
2007166510.tif 000009
【図８】
2007166510.tif 000010
【図９】
2007166510.tif 000011
【図１０】
2007166510.tif 000012
【図１１】
2007166510.tif 000013
【図１２】
2007166510.tif 000014
【図１３】
2007166510.tif 000015
【図１４】
2007166510.tif 000016
【図１５】
2007166510.tif 000017
【図１６】
2007166510.tif 000018
【図１７】
2007166510.tif 000019
【図１８】
2007166510.tif 000020
【図１９】
2007166510.tif 000021
【図２０】
2007166510.tif 000022
【図２１】
2007166510.tif 000023
【図２２】
2007166510.tif 000024